(57)【要約】【課題】車室内に吹き出される主たる風と付加価値風とを区分けして乗員に向けて吹き出すことの可能な吹出装置を提供する。【解決手段】吹出装置１は、車室内に風を吹き出すものである。この吹出装置１は、車室内に主たる風を吹き出すように構成された送風路１０の一部と重なるように設けられた区分領域を有する。その区分領域は、主たる風とは異なる価値が付与された付加価値風を、主たる風とは区分けして乗員に向けて吹き出すことが可能なように構成されている。【選択図】図２
2019196027.tif 000002
【特許請求の範囲】
【請求項１】
車室内に風を吹き出す吹出装置において、
前記車室内に主たる風を吹き出すように構成された送風路（１０）の一部と重なるように設けられた区分領域（２１）を有し、前記区分領域は、主たる風とは異なる価値が付与された付加価値風を、前記主たる風とは区分けして乗員に向けて吹き出すことが可能なように構成されている、吹出装置。
【請求項２】
前記区分領域は、前記送風路が車室内空間に開口する吹出開口面（１３）の一部と重なるように設けられている、請求項１に記載の吹出装置。
【請求項３】
前記送風路は、前記車室内を空調するための空調ユニット（３）で生成される空調風を前記主たる風として前記車室内に吹き出すためものである、請求項１または２に記載の吹出装置。
【請求項４】
吹出装置は、前記送風路を形成する壁面の外側から内側に入り込む通路部材（２０）を備え、
前記通路部材は、前記区分領域としての通路開口部（２１）から前記付加価値風を吹き出すように構成されている、請求項１ないし３のいずれか１つに記載の吹出装置。
【請求項５】
吹出装置は、前記送風路に設けられる第１風向調整板（１２）と、前記通路部材の前記通路開口部に設けられる第２風向調整板（２２）とを備える、請求項４に記載の吹出装置。
【請求項６】
吹出装置は、流路切替装置（３０）をさらに備え、
前記流路切替装置は、前記区分領域から前記付加価値風が吹き出される第１状態と、前記送風路のうち前記区分領域を除く領域と前記区分領域の両方から主たる風が吹き出される第２状態とを切り替える、請求項４または５に記載の吹出装置。
【請求項７】
前記通路部材は、前記通路部材のうち前記送風路に配置される部位に穴部（２４）を有しており、
前記流路切替装置は、前記通路部材の前記穴部を開閉可能なダンパー（３１）またはロータリードア（３２）であり、
前記ダンパーまたは前記ロータリードアは、前記通路部材の前記穴部を閉じることで前記第１状態を形成し、前記通路部材の前記穴部と前記送風路とを連通させることで前記第２状態を形成するものである、請求項６に記載の吹出装置。
【請求項８】
前記通路部材は、前記通路部材のうち前記送風路に配置される部位に穴部を有しており、
前記流路切替装置は、前記穴部に設けられる逆止弁（３３）であり、
前記逆止弁は、前記通路部材を流れる前記付加価値風が前記穴部から前記送風路に流出することを禁止することで前記第１状態を形成し、前記送風路を流れる前記主たる風が前記穴部から前記通路部材に流入することを許容することで前記第２状態を形成するものである、請求項６に記載の吹出装置。
【請求項９】
前記通路部材は、前記送風路の外側に配置された外側通路部材（２５）と、前記送風路の内側に配置された内通路部材（２６）とを有しており、
前記流路切替装置は、前記外側通路部材の内側に往復移動可能に設けられる往復移動体（３４）であり、
前記往復移動体は、前記外側通路部材から前記送風路の内側に伸び出て前記外側通路部材と前記内通路部材とを連通させることで前記第１状態を形成し、前記外側通路部材の内側に入り込むことで前記第２状態を形成するものである、請求項６に記載の吹出装置。
【請求項１０】
前記流路切替装置は、前記送風路の内側で回動可能に設けられる回動構造体（３５）であり、
前記回動構造体は、
前記送風路の吹出開口面の一部である前記区分領域と前記通路部材とを連通させ、前記送風路と前記区分領域とを遮断することで前記第１状態を形成し、
前記通路部材を閉塞し、前記送風路と前記吹出開口面の全領域とを連通させることで第２状態を形成するものである、請求項６に記載の吹出装置。
【発明の詳細な説明】
【技術分野】
【０００１】
本発明は、車室内に風を吹き出す吹出装置に関するものである。
【背景技術】
【０００２】
従来、空気に対して所定の付加価値が付与された付加価値風を車室内に供給する装置が知られている。付加価値風として、例えば、加湿風、香りをつけたアロマ風、乗員を覚醒させるための冷風などが例示される。
【０００３】
特許文献１に記載の装置は、車室内に設けられた空調用吹出口と空調ユニットとを接続するダクトの途中に迂回路を設けている。そして、この装置は、ダクトを流れる主たる風としての空調風の一部を迂回路に取り込み、その迂回路を流れる途中で静電微粒子水を含む付加価値風を生成している。その付加価値風は、迂回路から再びダクト内に放出され、ダクトを流れる空調風と混合された後、空調用吹出口から車室内に吹き出される。なお、特許文献１に記載の付加価値風は、静電微粒子水による車室内の除菌、消臭を目的としたものであり、車室内に広く拡散されることが好ましいものである。
【先行技術文献】
【特許文献】
【０００４】
【特許文献１】特開２００８−１８９２４６号公報
【発明の概要】
【発明が解決しようとする課題】
【０００５】
ところで、付加価値風のうち、加湿風、香りをつけたアロマ風、乗員を覚醒させるための冷風などは、吹出口から乗員に向けて吹き出され、乗員に直接供給されることが好ましい。上述したように、特許文献１に記載の装置は、付加価値風と空調風とがダクト内で混合された後に空調用吹出口から車室内に吹き出される構成となっており、付加価値風を乗員に直接供給するものではない。そのため、特許文献１に記載の装置により、加湿風またはアロマ風などの付加価値風を空調用吹出口から車室内に吹き出すと、乗員への到達性が悪くなり、その付加価値風が乗員に与える影響が低減してしまう。
【０００６】
なお、付加価値風を乗員に直接供給するための手段として、車両のインストルメントパネルに付加価値風専用の吹出口を設けることが考えられる。しかし、昨今の内装デザイン要求等により、車両のインストルメントパネルに新たな吹出口を、空調用吹出口と機能を切り分けて個別に設置することは困難である。
【０００７】
本発明は上記点に鑑みて、車室内に吹き出される主たる風と付加価値風とを区分けして乗員に向けて吹き出すことの可能な吹出装置を提供することを目的とする。
【課題を解決するための手段】
【０００８】
上記目的を達成するため、請求項１に係る発明は、車室内に風を吹き出す吹出装置において、車室内に主たる風を吹き出すように構成された送風路（１０）の一部と重なるように設けられた区分領域（２１）を有する。その区分領域は、主たる風とは異なる価値が付与された付加価値風を、主たる風とは区分けして乗員に向けて吹き出すことの可能なように構成されている。
【０００９】
これによれば、車室内に主たる風を吹き出す送風路の一部と重なるように設けられた区分領域から付加価値風が吹き出されるので、主たる風と付加価値風とが混ざることが抑制される。そのため、付加価値風は、送風路の区分領域から、主たる風とは区分けされて乗員に吹き出される。したがって、この吹出装置は、付加価値風の乗員への到達性を高め、付加価値風が乗員に与える影響を大きくすることができる。
【００１０】
また、この吹出装置は、車両に既存の吹出口を用いて付加価値風を車室内に吹き出すことが可能である。そのため、この吹出装置は、付加価値風を吹き出すための新たな吹出口を車室内に設ける必要が無いので、車両の内装デザイン要求を満たすものとなる。
【００１１】
なお、主たる風は、風量が比較的大きく設定される風であり、例えば、車両用空調ユニットから吹き出される空調風、シート空調ユニットから吹き出される風、またはリヤ空調ユニットから吹き出される空調風などが例示される。また、付加価値風は、主たる風に比べて風量が比較的小さく設定される風であり、例えば、加湿風、香りを付けたアロマ風、または乗員を覚醒させるための冷風などが例示される。
【００１２】
なお、各構成要素等に付された括弧付きの参照符号は、その構成要素等と後述する実施形態に記載の具体的な構成要素等との対応関係の一例を示すものである。
【図面の簡単な説明】
【００１３】
【図１】第１実施形態に係る吹出装置が搭載される車両の車室内を示す図である。
【図２】第１実施形態に係る吹出装置の断面図である。
【図３】図２のIII方向における吹出装置の正面図である。
【図４】第２実施形態に係る吹出装置の断面図である。
【図５】図４のV方向における吹出装置の正面図である。
【図６】第３実施形態に係る吹出装置の断面図である。
【図７】図６のVII―VII線の断面図である。
【図８】第３実施形態に係る吹出装置の断面図である。
【図９】図８のIX―IX線の断面図である。
【図１０】第３実施形態に係る吹出装置の断面図である。
【図１１】図１０のXI―XI線の断面図である。
【図１２】第４実施形態に係る吹出装置の断面図である。
【図１３】第４実施形態に係る吹出装置の断面図である。
【図１４】第５実施形態に係る吹出装置の断面図である。
【図１５】第５実施形態に係る吹出装置の断面図である。
【図１６】第６実施形態に係る吹出装置の断面図である。
【図１７】第６実施形態に係る吹出装置の断面図である。
【図１８】第７実施形態に係る吹出装置の断面図である。
【図１９】第７実施形態に係る吹出装置の断面図である。
【図２０】第８実施形態に係る吹出装置の断面図である。
【図２１】第８実施形態に係る吹出装置の断面図である。
【図２２】第９実施形態に係る吹出装置の正面図である。
【図２３】第１０実施形態に係る吹出装置の正面図である。
【図２４】第１１実施形態に係る吹出装置の正面図である。
【図２５】第１２実施形態に係る吹出装置の正面図である。
【図２６】図２５のXXVI―XXVI線の断面図である。
【図２７】第１３実施形態に係る吹出装置の正面図である。
【図２８】図２７のXXVIII―XXVIII線の断面図である。
【図２９】第１比較例の吹出装置の断面図である。
【図３０】第２比較例の吹出装置の断面図である。
【発明を実施するための形態】
【００１４】
以下、本発明の実施形態について図面を参照しつつ説明する。なお、以下の各実施形態相互において、互いに同一もしくは均等である部分には、同一符号を付し、その説明を省略する。
【００１５】
（第１実施形態）
第１実施形態について図１〜図３を参照して説明する。本実施形態の吹出装置１は、車室内に主たる風と付加価値風とを区分けして吹き出すための装置である。付加価値風は、空気に対して所定の付加価値が付与された風である。付加価値風として、加湿風、香りをつけたアロマ風、乗員を覚醒させるための冷風などが例示される。本実施形態では、付加価値風として加湿風を例として説明する。
【００１６】
まず、吹出装置１が搭載される車両の車室内の構成について説明する。図１および図２に示すように、車室内の前方には、インストルメントパネル（以下、「インパネ２」という）が設置されている。このインパネ２の内側には、車室内を空調するための空調ユニット３が搭載されている。なお、空調ユニット３は、ＨＶＡＣ（Heating, Ventilation, and Air Conditioning）ユニットとも呼ばれる。また、インパネ２の内側には、付加価値風を生成するための付加価値風生成装置４が設けられている。
【００１７】
インパネ２には、空調ユニット３によって生成される空調風を主たる風として車室内に吹き出すための複数の空調用吹出口５が設けられている。具体的には、インパネ２に設けられた複数の空調用吹出口５は、センターフェイスグリル５１、サイドフェイスグリル５２、デフロスタグリル５３により構成されている。空調ユニット３と複数の空調用吹出口５とは、複数のダクト６によって接続されている。空調ユニット３で生成された空調風は、ダクト６を経由して複数の空調用吹出口５のいずれかから吹き出される。
【００１８】
本実施形態の吹出装置１は、センターフェイスグリル５１から付加価値風としての加湿風を吹き出すように構成されている。図１では、センターフェイスグリル５１から吹き出される加湿風を、矢印ＨＡにより示している。
【００１９】
本実施形態の吹出装置１が、センターフェイスグリル５１から加湿風を吹き出すことの意義について説明する。一般に、冬季に暖房が行われる場合、暖房風を車室内に供給するための吹出口として、主にフット吹出口が使用され、センターフェイスグリル５１は殆ど使用されない。これに対し、加湿風は、一般に冬季に使用されるものである。そのため、センターフェイスグリル５１から加湿風を吹き出すように構成することで、主たる風としての空調風と、付加価値風としての加湿風とを区分けして供給することができる。
【００２０】
また、本実施形態では、車両に既存の空調用吹出口５であるセンターフェイスグリル５１を用いることで、付加価値風を吹き出すための新たな吹出口を車室内に設ける必要が無い。そのため、車両の内装デザイン要求を満たすと共に、イニシャルコストを低減し、車両搭載性を向上することが可能である。
【００２１】
次に、本実施形態の吹出装置１の具体的な構成について説明する。
【００２２】
図２および図３に示すように、本実施形態の吹出装置１は、車室内に主たる風としての空調風を吹き出すように構成された送風路１０に設けられている。送風路１０には、送風路開閉弁１１および第１風向調整板１２などが設けられている。送風路開閉弁１１は、送風路１０の内側の流路面積を調整可能であり、例えばバタフライドア等により構成されている。また、第１風向調整板１２は、送風路１０が車室内空間に開口する吹出開口面１３の近傍に設けられている。第１風向調整板１２は、図に示した車幅方向に延びるものに限らず、鉛直方向に延びるものであってもよく、或いは格子状に形成されたものであってもよい。第１風向調整板１２の角度を調整することで、送風路１０から車室内空間に吹き出される空調風の向きを設定することが可能である。
【００２３】
吹出装置１は、付加価値風生成装置４で生成された加湿風を、送風路１０の内側に導入するための通路部材２０を備えている。通路部材２０は、送風路１０の壁面の外側から内側に入り込み、送風路１０の内側に設けられた通路開口部２１から加湿風を吹き出すように構成されている。
【００２４】
通路部材２０の通路開口部２１は、付加価値風としての加湿風を、主たる風としての空調風とは区分けして乗員に向けて吹き出すことの可能な区分領域に相当する。したがって、本実施形態の吹出装置１は、送風路１０の一部と重なるように設けられた区分領域を有している。通路部材２０の通路開口部２１（すなわち区分領域）の面積は、その通路開口部２１から吹き出される加湿風が乗員に届くように、加湿風の風量に応じた面積に設定されている。また、通路開口部２１は、第１風向調整板１２の近くに設けられることが好ましい。
【００２５】
通路開口部２１には、第２風向調整板２２が設けられている。第２風向調整板２２は、図に示した車幅方向に延びるものに限らず、鉛直方向に延びるものであってもよく、或いは格子状に形成されたものであってもよい。第２風向調整板２２の角度は、通路部材２０の開口から加湿風が乗員に向けて吹き出されるように設定されている。また、通路部材２０の内側には、通路開閉弁２３が設けられている。通路開閉弁２３は、通路部材２０の内側の流路面積を調整可能であり、例えば片持ちドア等により構成されている。
【００２６】
次に、本実施形態の吹出装置１の作動について説明する。
【００２７】
図２は、送風路開閉弁１１が閉じられ、通路開閉弁２３が開かれた状態を示している。この状態で、付加価値風生成装置４で生成された加湿風は、矢印ＨＡに示すように、通路部材２０および通路開口部２１を経由し、送風路１０の吹出開口面１３から乗員に向けて吹き出される。一方、矢印ＡＣに示す空調風は、送風路１０の吹出開口面１３から吹き出されない。したがって、加湿風は、空調風と区分けされて乗員に届けられる。なお、上述したように、通路部材２０の通路開口部２１は、加湿風の風量に応じた所定の面積で形成されており、且つ、第１風向調整板１２の近くに配置されているので、加湿風は適切な風速で乗員まで届けられる。
【００２８】
これに対し、図示していないが、送風路開閉弁１１が開かれると、空調ユニット３で生成される空調風は、送風路１０を経由し、吹出開口面１３から車室内に吹き出される。その場合でも、上述したように、通路部材２０の通路開口部２１は、加湿風の風量に応じた所定の面積で形成されており、且つ、第１風向調整板１２の近くに配置されているので、加湿風と空調風とが混ざることが抑制される。したがって、加湿風は、空調風と区分けされ、適切な風速で乗員まで届けられる。
【００２９】
以上説明した本実施形態の吹出装置１は、次の作用効果を奏するものである。
【００３０】
（１）本実施形態の吹出装置１は、送風路１０の一部と重なるように設けられた区分領域としての通路開口部２１を有している。区分領域は、加湿風を、空調風とは区分けして乗員に向けて吹き出すことが可能である。これにより、空調風と加湿風とが混ざることが抑制され、加湿風は、空調風と区分けされて乗員に吹き出される。したがって、この吹出装置１は、加湿風の乗員への到達性を高め、加湿風が乗員に与える影響を大きくすることができる。
【００３１】
（２）本実施形態の吹出装置１が設けられる送風路１０は、空調ユニット３で生成される空調風を主たる風として車室内に吹き出すためものである。これにより、この吹出装置１は、車両に既存の空調用吹出口５を用いて加湿風を車室内に吹き出すことが可能である。そのため、この吹出装置１は、加湿風を吹き出すための新たな吹出口を車室内に設ける必要が無いので、車両の内装デザイン要求を満たすものとなる。
【００３２】
（３）本実施形態の吹出装置１は、送風路１０を形成する壁面の外側から内側に入り込む通路部材２０を備える。通路部材２０は、所定の開口面積に設定された通路開口部２１から加湿風を吹き出すように構成されている。これによれば、吹出装置１は、通路部材２０を流れる加湿風を通路開口部２１から、空調風と区分けして車室内に吹き出すことが可能である。
【００３３】
（４）本実施形態の吹出装置１は、送風路１０に設けられる第１風向調整板１２と、通路部材２０の通路開口部２１に設けられる第２風向調整板２２とを備えている。これにより、吹出装置１は、第１風向調整板１２と第２風向調整板２２により、空調風が車室内に吹き出される向きと、加湿風が車室内に吹き出される向きを、別々に調整することが可能である。
【００３４】
（第１、第２比較例）
ここで、上述した第１実施形態の吹出装置１と比較するため、比較例の吹出装置について説明する。図２９に、第１比較例の吹出装置１０１を示し、図３０に、第２比較例の吹出装置１０２を示す。
【００３５】
第１比較例と第２比較例はいずれも、空調ユニット３で生成される空調風が流れる送風路１０の内壁の一部に、通路部材２０の通路開口部２１０が設けられている。そのため、通路部材２０を流れる加湿風は、その通路開口部２１０から送風路１０に流入した後、送風路１０の吹出開口面１３から車室内に吹き出される。ここで、一般に、空調風を吹き出すための送風路１０の吹出開口面１３は、通路部材２０を流れる加湿風の風量に対し、非常に大きく形成されている。そのため、送風路１０の吹出開口面１３から加湿風が吹き出されると、加湿風の流速が遅くなり、加湿風が乗員まで届かないことが考えられる。
【００３６】
また、第１比較例と第２比較例では、空調ユニット３のフェイスドア７や送風路開閉弁１１が開き、空調風と加湿風とが同時に吹き出される場合、通路部材２０の通路開口部２１から送風路１０に流入する加湿風と、送風路１０を流れる空調風とが混合されてしまう。そのため、加湿風が乗員に直接届かず、加湿風が乗員に与える影響が低減することが懸念される。
【００３７】
これに対し、上述した第１実施形態の吹出装置１では、加湿風が、空調風と区分けされて乗員に吹き出され、適切な風速で乗員まで届けられる。したがって、第１実施形態の吹出装置１は、加湿風の乗員への到達性を高め、加湿風が乗員に与える影響を大きくすることができる。
【００３８】
（第２実施形態）
第２実施形態について説明する。第２実施形態は、第１実施形態に対して通路部材２０の通路開口部２１（すなわち区分領域）の位置などを変更したものであり、その他については第１実施形態と同様であるため、第１実施形態と異なる部分についてのみ説明する。
【００３９】
図４および図５に示すように、第２実施形態では、送風路１０が車室内空間に開口する吹出開口面１３の一部と重なるように、通路部材２０の通路開口部２１が設けられている。通路開口部２１の面積は、その通路開口部２１から吹き出される加湿風が乗員に届くように、加湿風の風量に応じた面積に設定されている。
【００４０】
第２実施形態では、送風路１０の吹出開口面１３の一部と重なるように通路開口部２１（すなわち、区分領域）を設けることで、空調風と加湿風とが混ざることが抑制される。そのため、加湿風は、空調風とは区分けされて乗員に吹き出される。したがって、この吹出装置１は、加湿風の乗員への到達性を高め、加湿風が乗員に与える影響を大きくすることができる。
【００４１】
その他、第２実施形態も、第１実施形態と同様の作用効果を奏することが可能である。
【００４２】
（第３実施形態）
第３実施形態について説明する。第３実施形態は、第１実施形態等に対して通路部材２０に流路切替装置３０を設けたものであり、その他については第１実施形態等と同様であるため、第１実施形態等と異なる部分についてのみ説明する。
【００４３】
図６、図８および図１０に示すように、第３実施形態では、通路部材２０のうち送風路１０の内側に配置される部位に穴部２４が設けられている。穴部２４は、通路部材２０の通路開口部２１とは反対側に設けられている。そして、第３実施形態では、通路部材２０の内側に流路切替装置３０が設けられている。流路切替装置３０は、通路部材２０の通路開口部２１から加湿風が吹き出される第１状態と、送風路１０の吹出開口面１３の全領域から空調風が吹き出される第２状態とを切り替えることが可能な装置である。
【００４４】
なお、通路部材２０のうち、穴部２４から通路開口部２１に亘り送風路１０の内側に配置された部分を内側通路部材２６と呼ぶこととし、穴部２４から送風路１０の外側に配置された部分を外側通路部材２５と呼ぶこととする。
【００４５】
図６および図７では、流路切替装置３０は第１状態を形成している。このとき、流路切替装置３０は、通路部材２０の穴部２４を閉塞すると共に、外側通路部材２５から内側通路部材２６への加湿風の流れを許容する。そのため、矢印ＨＡに示すように、通路部材２０を流れる加湿風は、通路開口部２１から乗員に向けて吹き出される。なお、図６および図７に示す状態では、送風路開閉弁１１が閉じられている。そのため、送風路１０の吹出開口面１３のうち通路開口部２１を除く領域から空調風が吹き出されることはない。
【００４６】
図８および図９でも、流路切替装置３０は第１状態を形成している。そのため、矢印ＨＡに示すように、送風路１０の吹出開口面１３に配置された通路開口部２１から加湿風が乗員に向けて吹き出される。また、図８および図９に示す状態では、送風路開閉弁１１が開かれている。そのため、矢印ＡＣに示すように、送風路１０の吹出開口面１３のうち通路開口部２１を除く領域から空調風が吹き出される。この場合でも、加湿風と空調風とが混ざることが抑制されるので、加湿風は、空調風と区分けされて乗員に届けられる。
【００４７】
図１０および図１１では、流路切替装置３０は第２状態を形成している。このとき、流路切替装置３０は、通路部材２０の穴部２４を送風路１０に開放すると共に、外側通路部材２５から内側通路部材２６への加湿風の流れを遮断する。また、図１０および図１１に示す状態では、送風路開閉弁１１が開かれている。そのため、送風路１０を流れる空調風は、内側通路部材２６の外側を流れると共に、穴部２４から内側通路部材２６の内側にも流れる。したがって、矢印ＡＣに示すように、その空調風は、送風路１０の吹出開口面１３の全領域から車室内に吹き出される。これにより、空調ユニット３は、空調風の風量を低下させることなく、車室内空調を行うことが可能である。
【００４８】
以上説明した第３実施形態の吹出装置１は、流路切替装置３０を第１状態とすることで、加湿風が、空調風とは区分けされて乗員に吹き出される。これにより、加湿風の乗員への到達性を高めることができる。一方、吹出装置１は、流路切替装置３０を第２状態とすることで、空調風が、送風路１０の吹出開口面１３の全領域から車室内に吹き出される。これにより、空調風の風量を低下させることなく、車室内空調を行うことができる。したがって、この吹出装置１は、流路切替装置３０を駆動することで、加湿風が乗員に与える影響の向上と、車室内空調による乗員の快適性の向上を両立させることができる。
【００４９】
（第４〜第８実施形態）
以下に説明する第４〜第８実施形態は、第３実施形態に対して流路切替装置３０の具体的構成を例示するものである。
【００５０】
（第４実施形態）
第４実施形態について、図１２および図１３を参照して説明する。第４実施形態の流路切替装置は、通路部材２０の穴部２４を開閉可能なダンパー３１である。ダンパー３１は、通路部材２０の穴部２４の近傍に設けられた回転軸３１０を中心として回動可能に設けられている。ダンパー３１は、通路部材２０の穴部２４を閉じることで第１状態を形成し、通路部材２０の穴部２４と送風路１０とを連通させることで第２状態を形成するものである。なお、ダンパー３１は、図示していないアクチュエータまたは手動により駆動する。
【００５１】
図１２では、ダンパー３１は、第１状態を形成している。このとき、ダンパー３１は、通路部材２０の穴部２４を閉塞すると共に、外側通路部材２５から内側通路部材２６への加湿風の流れを許容する。そのため、矢印ＨＡに示すように、通路部材２０を流れる加湿風は、通路開口部２１から乗員に向けて吹き出される。なお、図１２では、矢印ＡＣに示すように、送風路１０の吹出開口面１３のうち通路開口部２１を除く領域から空調風が吹き出される。この場合でも、加湿風と空調風とが混ざることが抑制されるので、加湿風は、空調風と区分けされて乗員に届けられる。
【００５２】
図１３では、ダンパー３１は第２状態を形成している。このとき、ダンパー３１は、通路部材２０の穴部２４を送風路１０に開放すると共に、外側通路部材２５を閉塞する。そのため、外側通路部材２５から内側通路部材２６への加湿風の流れが遮断される。また、送風路１０を流れる空調風は、内側通路部材２６の外側と内側の両方を流れる。したがって、矢印ＡＣに示すように、その空調風は、送風路１０の吹出開口面１３の全領域から車室内に吹き出される。これにより、空調ユニット３は、空調風の風量を低下させることなく、車室内空調を行うことが可能である。
【００５３】
（第５実施形態）
第５実施形態について、図１４および図１５を参照して説明する。第５実施形態の流路切替装置は、内側通路部材２６の第１穴部２４１と外側通路部材２５の第２穴部２４２とを開閉可能なロータリードア３２である。ロータリードア３２は、通路部材２０の第１、第２穴部２４１、２４２の近傍に設けられた回転軸３２０を中心として回動可能に設けられている。なお、ロータリードア３２は、図示していないアクチュエータまたは手動により駆動する。
【００５４】
図１４に示すように、ロータリードア３２は、第１、第２穴部２４１、２４２と送風路１０とを遮断すると共に、外側通路部材２５から内側通路部材２６への加湿風の流れを許容することで第１状態を形成する。これにより、矢印ＨＡに示すように、通路部材２０を流れる加湿風は、通路開口部２１から乗員に向けて吹き出される。また、矢印ＡＣに示すように、空調風は、送風路１０の吹出開口面１３のうち通路開口部２１を除く領域から吹き出される。この場合、加湿風と空調風とが混ざることが抑制されるので、加湿風は、空調風と区分けされて乗員に届けられる。
【００５５】
また、図１５に示すように、ロータリードア３２は、内側通路部材２６の第１穴部２４１を送風路１０に開放すると共に、外側通路部材２５の第２穴部２４２を閉塞することで第２状態を形成する。これにより、送風路１０を流れる空調風は、内側通路部材２６の外側と内側の両方を流れる。したがって、矢印ＡＣに示すように、空調風は、送風路１０の吹出開口面１３の全領域から車室内に吹き出される。これにより、空調ユニット３は、空調風の風量を低下させることなく、車室内空調を行うことが可能である。
【００５６】
（第６実施形態）
第６実施形態について、図１６および図１７を参照して説明する。第６実施形態の流路切替装置は、通路部材２０の穴部２４に設けられる逆止弁３３である。逆止弁３３は、例えば不織布などから形成されている。逆止弁３３の一端３３１は、穴部２４の内壁に固定されている。逆止弁３３は、通路部材２０と送風路１０との圧力差により駆動し、通路部材２０の穴部２４を開閉可能である。
【００５７】
図１６では、送風路開閉弁１１が閉じている。このとき、通路部材２０を流れる加湿風の風圧は、送風路１０内の圧力より大きいものとなっている。そのため、逆止弁３３は、通路部材２０の穴部２４を閉塞し、外側通路部材２５から内側通路部材２６への加湿風の流れを許容することで第１状態を形成する。したがって、矢印ＨＡに示すように、通路部材２０を流れる加湿風は、通路開口部２１から乗員に向けて吹き出される。
【００５８】
図１７では、送風路開閉弁１１が開いている。このとき、送風路１０を流れる風圧は、通路部材２０内の圧力より大きいものとなっている。そのため、逆止弁３３は、通路部材２０の穴部２４を送風路１０に開放すると共に、外側通路部材２５を閉塞することで、第２状態を形成する。したがって、送風路１０を流れる空調風は、内側通路部材２６の外側と内側の両方を流れ、矢印ＡＣに示すように、送風路１０の吹出開口面１３の全領域から車室内に吹き出される。これにより、空調ユニット３は、空調風の風量を低下させることなく、車室内空調を行うことが可能である。
【００５９】
（第７実施形態）
第７実施形態について、図１８および図１９を参照して説明する。第７実施形態の流路切替装置は、外側通路部材２５の内側に往復移動可能に設けられる往復移動体３４である。往復移動体３４は、外側通路部材２５から送風路１０の内側に伸び出て、外側通路部材２５と内側通路部材２６とを連通させることで第１状態を形成する。また、往復移動体３４は、外側通路部材２５の内側に入り込み、外側通路部材２５と送風路１０とを遮断することで、第２状態を形成する。なお、往復移動体３４は、図示していないアクチュエータまたは手動により駆動する。
【００６０】
図１８では、往復移動体３４は、第１状態を形成している。このとき、往復移動体３４は、外側通路部材２５と内側通路部材２６とを連通させることで、外側通路部材２５から内側通路部材２６への加湿風の流れを許容する。なお、往復移動体３４は、送風路１０から内側通路部材２６への空調風の侵入を遮断する。そのため、矢印ＨＡに示すように、通路部材２０を流れる加湿風は、通路開口部２１から乗員に向けて吹き出される。なお、図１８では、矢印ＡＣに示すように、送風路１０の吹出開口面１３のうち通路開口部２１を除く領域から空調風が吹き出される。この場合でも、加湿風と空調風とが混ざることが抑制されるので、加湿風は、空調風と区分けされて乗員に届けられる。
【００６１】
図１９では、往復移動体３４は第２状態を形成している。このとき、往復移動体３４は、外側通路部材２５の内側に入り込み、外側通路部材２５と送風路１０とを遮断する。それと共に、往復移動体３４は、送風路１０から内側通路部材２６への空調風の流入を許容する。そのため、送風路１０を流れる空調風は、内側通路部材２６の外側と内側の両方を流れる。したがって、矢印ＨＡに示すように、その空調風は、送風路１０の吹出開口面１３の全領域から車室内に吹き出される。これにより、空調ユニット３は、空調風の風量を低下させることなく、車室内空調を行うことが可能である。
【００６２】
（第８実施形態）
第８実施形態について、図２０および図２１を参照して説明する。第８実施形態の流路切替装置は、送風路１０の内側で回動可能に設けられる回動構造体３５である。この回動構造体３５は、図２０および図２１に一点鎖線３５１で示した回転軸を中心として回転する。この回動構造体３５は、内側通路部材２６を含んで構成されている。なお、回動構造体３５は、図示していないアクチュエータまたは手動により回転する。
【００６３】
図２０では、回動構造体３５は、第１状態を形成している。このとき、回動構造体３５の一部を構成する内側通路部材２６と、外側通路部材２５とが連通する。また、回動構造体３５は、送風路１０から内側通路部材２６への空調風の侵入を遮断する。そのため、矢印ＨＡに示すように、外側通路部材２５から内側通路部材２６への加湿風の流れが許容される。通路部材２０を流れる加湿風は、通路開口部２１から乗員に向けて吹き出される。なお、図２０では、矢印ＡＣに示すように、送風路１０の吹出開口面１３のうち通路開口部２１を除く領域から空調風が吹き出される。この場合でも、加湿風と空調風とが混ざることが抑制されるので、加湿風は、空調風と区分けされて乗員に届けられる。
【００６４】
図２１では、回動構造体３５は第２状態を形成している。このとき、回動構造体３５は、壁部３５２により外側通路部材２５を閉塞すると共に、送風路１０と吹出開口面１３の全領域とを連通させる。そのため、送風路１０を流れる空調風は、矢印ＡＣに示すように、送風路１０の吹出開口面１３の全領域から車室内に吹き出される。これにより、空調ユニット３は、空調風の風量を低下させることなく、車室内空調を行うことが可能である。
【００６５】
（第９〜第１３実施形態）
以下に説明する第９〜第１３実施形態は、上述した第１〜第８実施形態に対して通路部材２０の通路開口部２１（すなわち区分領域）の位置を変更したものであり、その他については第１実施形態等と同様であるため、第１実施形態等と異なる部分についてのみ説明する。
【００６６】
なお、図２２〜図２８に示すように、第９〜第１３実施形態でも、第２実施形態等と同様に、送風路１０が車室内空間に開口する吹出開口面１３の一部と重なるように、通路部材２０の通路開口部２１が設けられている。通路開口部２１の面積は、その通路開口部２１から吹き出される加湿風が乗員に届くように、加湿風の風量に応じた面積に設定されている。以下、第９〜第１３実施形態について詳細に説明する。
【００６７】
（第９実施形態）
図２２に示すように、第９実施形態では、送風路１０の吹出開口面１３の外縁を形成する辺の一部と、通路部材２０の通路開口部２１（すなわち区分領域）とが接するように設けられている。具体的には、送風路１０の吹出開口面１３の下側の辺の一部と通路部材２０の通路開口部２１とが接するように設けられている。
【００６８】
なお、第９実施形態の変形例として、送風路１０の吹出開口面１３の上側、左側または右側の辺の一部と、通路部材２０の通路開口部２１とが接するようにしてもよい。
【００６９】
第９実施形態及びその変形例においても、上述した第１実施形態等と同様の作用効果を奏することが可能である。
【００７０】
（第１０実施形態）
図２３に示すように、第１０実施形態では、送風路１０の吹出開口面１３の外縁を形成する１辺の全部と、通路部材２０の通路開口部２１とが接するように設けられている。具体的には、送風路１０の吹出開口面１３の下側の１辺の全部と通路部材２０の通路開口部２１とが接するように設けられている。
【００７１】
なお、第１０実施形態の変形例として、送風路１０の吹出開口面１３の上側の１辺の全部と、通路部材２０の通路開口部２１とが接するようにしてもよい。
【００７２】
第１０実施形態及びその変形例においても、上述した第１実施形態等と同様の作用効果を奏することが可能である。
【００７３】
（第１１実施形態）
図２４に示すように、第１１実施形態でも、送風路１０の吹出開口面１３の外縁を形成する１辺の全部と、通路部材２０の通路開口部２１とが接するように設けられている。具体的には、送風路１０の吹出開口面１３の右側の１辺の全部と通路部材２０の通路開口部２１とが接するように設けられている。
【００７４】
なお、第１１実施形態の変形例として、送風路１０の吹出開口面１３の左側の１辺の全部と、通路部材２０の通路開口部２１とが接するようにしてもよい。
【００７５】
第１１実施形態及びその変形例においても、上述した第１実施形態等と同様の作用効果を奏することが可能である。
【００７６】
（第１２実施形態）
図２５および図２６に示すように、第１２実施形態では、送風路１０の吹出開口面１３から、通路部材２０の通路開口部２１の一部が飛び出るように設けられている。送風路１０の吹出開口面１３と通路部材２０の通路開口部２１とは、インパネ２等に設けられる１つの空調用吹出口５としてデザインできるものである。
【００７７】
図２６に示すように、通路部材２０の内側には、流路切替装置３０が設けられている。流路切替装置３０は、第３実施形態等で説明したように、通路部材２０の通路開口部２１から加湿風が吹き出される第１状態と、送風路１０の吹出開口面１３の全領域から空調風が吹き出される第２状態とを切り替えることが可能な装置である。
【００７８】
なお、第１２実施形態の変形例として、送風路１０の吹出開口面１３から、通路部材２０の通路開口部２１の一部が左側、上側または下側に飛び出るように設けてもよい。
【００７９】
第１１実施形態及びその変形例においても、上述した第１実施形態等と同様の作用効果を奏することが可能である。
【００８０】
（第１３実施形態）
図２７および図２８に示すように、第１３実施形態では、送風路１０の吹出開口面１３と、通路部材２０の通路開口部２１とが並ぶように設けられている。送風路１０の吹出開口面１３と通路部材２０の通路開口部２１とは、インパネ２等に設けられる１つの空調用吹出口５としてデザインできるものである。
【００８１】
図２８に示すように、通路部材２０の内側には、流路切替装置３０が設けられている。流路切替装置３０は、第３実施形態等で説明したように、通路部材２０の通路開口部２１から加湿風が吹き出される第１状態と、送風路１０の吹出開口面１３の全領域から空調風が吹き出される第２状態とを切り替えることが可能な装置である。
【００８２】
なお、第１３実施形態の変形例として、送風路１０の吹出開口面１３の左側、上側または下側に、通路部材２０の通路開口部２１が並ぶように設けてもよい。
【００８３】
第１３実施形態及びその変形例においても、上述した第１実施形態等と同様の作用効果を奏することが可能である。
【００８４】
（他の実施形態）
本発明は上記した実施形態に限定されるものではなく、特許請求の範囲に記載した範囲内において適宜変更が可能である。また、上記各実施形態は、互いに無関係なものではなく、組み合わせが明らかに不可な場合を除き、適宜組み合わせが可能である。また、上記各実施形態において、実施形態を構成する要素は、特に必須であると明示した場合および原理的に明らかに必須であると考えられる場合等を除き、必ずしも必須のものではないことは言うまでもない。また、上記各実施形態において、実施形態の構成要素の個数、数値、量、範囲等の数値が言及されている場合、特に必須であると明示した場合および原理的に明らかに特定の数に限定される場合等を除き、その特定の数に限定されるものではない。また、上記各実施形態において、構成要素等の形状、位置関係等に言及するときは、特に明示した場合および原理的に特定の形状、位置関係等に限定される場合等を除き、その形状、位置関係等に限定されるものではない。
【００８５】
（１）上述した実施形態の吹出装置１は、空調用吹出口５から付加価値風を吹き出すように構成されたものについて説明したが、これに限らない。吹出装置１は、例えばシート空調用吹出口、または、リヤ空調用吹出口などから付加価値風を吹き出すように構成してもよい。
【００８６】
（２）上述した実施形態の吹出装置１は、センターフェイスグリル５１から付加価値風を吹き出すように構成されたものについて説明したが、これに限らない。吹出装置１は、例えばサイドフェイスグリル５２などから付加価値風を吹き出すように構成してもよい。
【００８７】
（３）上述した実施形態の吹出装置１は、付加価値風として加湿風を吹き出すものについて説明したが、これに限らない。吹出装置１は、付加価値風として例えば香りをつけたアロマ風、乗員を覚醒させるための冷風などを吹き出すように構成してもよい。
【００８８】
（まとめ）
上述の実施形態の一部または全部で示された第１の観点によれば、吹出装置は、車室内に風を吹き出すものである。この吹出装置は、車室内に主たる風を吹き出すように構成された送風路の一部と重なるように設けられた区分領域を有する。その区分領域は、主たる風とは異なる価値が付与された付加価値風を、主たる風とは区分けして乗員に向けて吹き出すことが可能なように構成されている。
【００８９】
第２の観点によれば、区分領域は、送風路が車室内空間に開口する吹出開口面の一部と重なるように設けられている。これによれば、送風路の吹出開口面に区分領域を設けることで、主たる風と付加価値風とが混ざることが抑制される。そのため、付加価値風は、その区分領域から主たる風とは区分けされて乗員に吹き出される。したがって、この吹出装置は、付加価値風の乗員への到達性を高め、付加価値風が乗員に与える影響を大きくすることができる。
【００９０】
また、この吹出装置は、車室内に設置されている送風路を用いて付加価値風を車室内に吹き出すことが可能である。そのため、この吹出装置は、付加価値風を吹き出すための新たな吹出口を車室内に設け無いので、内装デザイン要求を満たすものとなる。
【００９１】
第３の観点によれば、送風路は、車室内を空調するための空調ユニットで生成される空調風を主たる風として車室内に吹き出すためものである。これによれば、この吹出装置は、空調ユニットの空調風を車室内に吹き出すための既存の空調用吹出口を用いて付加価値風を車室内に吹き出すことが可能である。そのため、この吹出装置は、付加価値風を吹き出すための新たな吹出口を車室内に設け無いので、内装デザイン要求を満たすものとなる。
【００９２】
第４の観点によれば、吹出装置は、送風路を形成する壁面の外側から内側に入り込む通路部材を備える。通路部材は、区分領域としての通路開口部から付加価値風を吹き出すように構成されている。これによれば、吹出装置は、送風路を流れる主たる風と通路部材を流れる付加価値風とを区分けして車室内に吹き出すことが可能である。
【００９３】
第５の観点によれば、吹出装置は、送風路に設けられる第１風向調整板と、通路部材の通路開口部に設けられる第２風向調整板とを備える。これによれば、吹出装置は、第１風向調整板と第２風向調整板により、主たる風が車室内に吹き出される向きと、付加価値風が車室内に吹き出される向きを、別々に調整することが可能である。
【００９４】
第６の観点によれば、吹出装置は、流路切替装置をさらに備える。流路切替装置は、区分領域から付加価値風が吹き出される第１状態と、送風路のうち区分領域を除く領域と区分領域の両方から主たる風が吹き出される第２状態とを切り替える。これによれば、流路切替装置を第１状態とすることで、区分領域から吹き出される付加価値風は、主たる風とは区分けされて乗員に吹き出される。これにより、付加価値風の乗員への到達性を高めることができる。
【００９５】
一方、流路切替装置を第２状態とすることで、主たる風が送風路の吹出開口面の全領域から車室内に吹き出される。これにより、主たる風としての空調風の風量を低下させることなく、車室内空調を行うことができる。したがって、この吹出装置は、流路切替装置を駆動することで、付加価値風が乗員に与える影響の向上と、車室内空調による乗員の快適性の向上を両立させることができる。
【００９６】
なお、空調装置は、流路切替装置を第１状態として、区分領域から付加価値風を吹き出すと共に、送風路のうち区分領域を除く領域から主たる風を吹き出すことも可能である。
【００９７】
第７の観点によれば、通路部材は、通路部材のうち送風路に配置される部位に穴部を有している。そして、流路切替装置は、通路部材の穴部を開閉可能なダンパーまたはロータリードアである。そのダンパーは、通路部材の穴部を閉じることで第１状態を形成し、通路部材の穴部と送風路とを連通させることで第２状態を形成するものである。これによれば、流路切替装置として、通路部材の穴部を開閉可能なダンパーまたはロータリードアが例示される。
【００９８】
第８の観点によれば、通路部材は、通路部材のうち送風路に配置される部位に穴部を有している。流路切替装置は、穴部に設けられる逆止弁である。逆止弁は、通路部材を流れる付加価値風が穴部から送風路内の流路に流出することを禁止することで第１状態を形成し、送風路を流れる主たる風が穴部から通路部材に流入することを許容することで第２状態を形成するものである。これによれば、流路切替装置として、通路部材の穴部に設けられる逆止弁が例示される。
【００９９】
第９の観点によれば、通路部材は、送風路の外側に配置された外側通路部材と、送風路の内側に配置された内通路部材とを有している。流路切替装置は、外側通路部材の内側に往復移動可能に設けられる往復移動体である。この往復移動体は、外側通路部材から送風路の内側に伸び出て外側通路部材と内通路部材とを連通させることで第１状態を形成し、外側通路部材の内側に入り込むことで第２状態を形成するものである。これによれば、流路切替装置として、外側通路部材の内側に往復移動可能に設けられる往復移動体が例示される。
【０１００】
第１０の観点によれば、流路切替装置は、送風路の内側で回動可能に設けられる回動構造体である。この回動構造体は、通路部材と区分領域とを連通させ、送風路と区分領域とを遮断することで第１状態を形成する。また、回動構造体は、通路部材と区分領域とを遮断し、送風路と区分領域とを連通させることで第２状態を形成する。これによれば、流路切替装置として、送風路の内側で回動可能に設けられる回動構造体が例示される。
【符号の説明】
【０１０１】
１    吹出装置
１０  送風路
２１  通路開口部（すなわち、区分領域）
【図１】
2019196027.tif 000003
【図２】
2019196027.tif 000004
【図３】
2019196027.tif 000005
【図４】
2019196027.tif 000006
【図５】
2019196027.tif 000007
【図６】
2019196027.tif 000008
【図７】
2019196027.tif 000009
【図８】
2019196027.tif 000010
【図９】
2019196027.tif 000011
【図１０】
2019196027.tif 000012
【図１１】
2019196027.tif 000013
【図１２】
2019196027.tif 000014
【図１３】
2019196027.tif 000015
【図１４】
2019196027.tif 000016
【図１５】
2019196027.tif 000017
【図１６】
2019196027.tif 000018
【図１７】
2019196027.tif 000019
【図１８】
2019196027.tif 000020
【図１９】
2019196027.tif 000021
【図２０】
2019196027.tif 000022
【図２１】
2019196027.tif 000023
【図２２】
2019196027.tif 000024
【図２３】
2019196027.tif 000025
【図２４】
2019196027.tif 000026
【図２５】
2019196027.tif 000027
【図２６】
2019196027.tif 000028
【図２７】
2019196027.tif 000029
【図２８】
2019196027.tif 000030
【図２９】
2019196027.tif 000031
【図３０】
2019196027.tif 000032